【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
生物学的管腔を閉塞するためのシステムであって、
互に向かって移動可能である、近位ハブおよび遠位ハブを有する閉塞用インプラントと、
内側管腔を有する細長いプッシャと、
前記プッシャの前記内側管腔内にスライド可能に受け取られている制御ワイヤと
を備え、
前記制御ワイヤの遠位端は、前記インプラントの前記遠位ハブが、前記制御ワイヤとともに移動可能であり、前記制御ワイヤから解放可能であるように、前記インプラントの前記遠位ハブに解放可能に連結され、
前記インプラントの前記近位ハブは、前記制御ワイヤの近位後退が、前記近位ハブを前記プッシャから解放するように、前記プッシャに解放可能に連結されている、システム。
【請求項２】
前記閉塞用インプラントは、複数のコイル部材を備え、前記複数のコイル部材の各々は、前記遠位ハブと連結される遠位端と、前記近位ハブと連結される近位端とを有する、請求項１に記載のシステム。
【請求項３】
前記制御ワイヤは、縦軸を有し、前記制御ワイヤの前記遠位端は、前記制御ワイヤのシャフトの幅より大きい幅を有し、前記インプラントの前記遠位ハブは、閾値力の適用まで、前記遠位ハブに対する前記制御ワイヤの前記遠位端の近位運動を妨害するように適合されている、請求項１に記載のシステム。
【請求項４】
前記制御ワイヤの前記遠位端は、ストッパ要素である、請求項３に記載のシステム。
【請求項５】
前記インプラントの前記遠位ハブは、前記ストッパ要素の幅より小さい幅を有するアクセスチャネルを備え、前記アクセスチャネルおよび前記ストッパ要素のうちの１つは、前記閾値力の適用に応じて変形可能である、請求項４に記載のシステム。
【請求項６】
前記インプラントの前記遠位ハブは、前記ストッパ要素の幅より小さい幅を有する開口部を有するリング状要素を備え、前記リング状要素は、前記閾値力の適用に応じて変形可能である、請求項４に記載のシステム。
【請求項７】
前記リング状要素は、Ｃ形状である、請求項６に記載のシステム。
【請求項８】
前記インプラントの前記遠位ハブは、リング状要素を備え、前記リング状要素は、前記リング状要素の中心開口部内に延びている複数のタブを有し、前記複数のタブは、前記閾値力の適用に応じて変形可能である、請求項４に記載のシステム。
【請求項９】
前記インプラントの前記遠位ハブは、前記閾値力の適用に応じて屈曲可能である１つ以上のバーを備えている、請求項４に記載のシステム。
【請求項１０】
前記遠位ハブは、非外傷性ドームと、放射線不透過性挿入体によって覆われている側壁開口部とを有する、請求項４に記載のシステム。
【請求項１１】
係止要素に連結されている第１の端部と、前記プッシャに連結されている第２の端部とを有する連結ワイヤをさらに備え、前記インプラントの前記近位ハブは、前記係止要素を格納するためのチャンバを有する内側管腔を含む、請求項１に記載のシステム。
【請求項１２】
前記係止要素は、前記チャンバに隣接する前記制御ワイヤの存在によって、前記チャンバ内に保持され、前記係止要素は、前記近位ハブからの前記制御ワイヤの除去に応じて、前記近位ハブから解放可能である、請求項１１に記載のシステム。
【請求項１３】
前記プッシャの前記内側管腔内にスライド可能に受け取られている細長い係止ワイヤをさらに備え、前記係止要素は、前記チャンバに隣接する前記制御ワイヤおよび前記係止ワイヤの存在によって、前記チャンバ内に保持され、前記係止要素は、前記近位ハブからの前記制御ワイヤおよび前記係止ワイヤの除去に応じて、前記近位ハブから解放可能である、請求項１１に記載のシステム。
【請求項１４】
前記インプラントの前記近位ハブは、それを通して前記制御ワイヤがスライドすることができる管腔を有する近位端と、前記インプラント近位端の遠位に位置している側窓とを備え、前記システムは、
近位部分および遠位部分を有する可撓性の係合要素をさらに備え、前記近位部分は、前記係合要素が前記プッシャに対して全体的にスライド可能でないように、前記プッシャに固定され、前記遠位部分は、前記側窓を通過し、前記制御ワイヤと係合し、前記プッシャに対する前記近位ハブの連結を維持するように適合されている、請求項１に記載のシステム。
【請求項１５】
前記係合要素は、前記近位ハブからの前記制御ワイヤの後退に応じて、前記制御ワイヤおよび前記近位ハブから解放可能である、請求項１４に記載のシステム。
【請求項１６】
前記係合要素は、前記プッシャの側壁内に固定された近位終端を有するワイヤまたはねじ山の連続区画であり、前記係合要素が、前記制御ワイヤに連結されている場合、前記係合要素のいかなる部分も、それを通して前記制御ワイヤが延びている前記プッシャの開放遠位端を通って延びていない、請求項１５に記載のシステム。
【請求項１７】
前記プッシャは、その長さに沿って縦軸を有し、前記係合要素は、ループ状部分と連結されている脚部を備え、前記係合要素は、前記少なくとも１つの脚部が前記近位終端から前記ループ状部分まで実質的に縦方向に延びるように事前に設定され、前記ループ状部分は、前記縦軸に対して実質的に横断する配向である、請求項１６に記載のシステム。
【請求項１８】
前記近位ハブは、傾斜表面を備え、前記傾斜表面は、実質的縦方向配向への前記ループ状部分のたわみを支援する、請求項１５に記載のシステム。
【請求項１９】
前記側窓は、第１の側窓であり、前記係合要素は、第１の係合要素であり、前記近位ハブは、前記近位ハブの近位端の遠位に位置している第２の側窓をさらに備え、
前記システムは、前記プッシャに固定された近位部分と遠位部分とを有する第２の可撓性の係合要素をさらに備え、前記遠位部分は、前記第２の側窓を通過し、前記制御ワイヤに連結し、前記プッシャに対する前記近位ハブの連結を維持するように適合されている、請求項１４に記載のシステム。
【請求項２０】
前記閉塞用インプラントは、１つ以上のコイル部材を備えている、請求項１に記載のシステム。
【請求項２１】
前記１つ以上のコイル部材は、金属製である、請求項２０に記載のシステム。
【請求項２２】
前記１つ以上のコイル部材は、ポリマー製である、請求項２０に記載のシステム。
【請求項２３】
患者の身体内の生物学的管腔を閉塞するためのシステムであって、前記システムは、
遠位ハブおよび近位ハブを有する閉塞用インプラントと、
プッシャと、
制御ワイヤと
を備えている閉塞装置と、
遠位端を備えるカテーテルと、
を備え、前記遠位ハブは、前記制御ワイヤと解放可能に連結され、前記近位ハブは、前記プッシャと解放可能に連結され、前記制御ワイヤは、前記プッシャ内にスライド可能に受け取られ、前記プッシャは、前記カテーテル内にスライド可能に受け取られ、
前記カテーテルの遠位端は、処置部位に前進させられるように構成されており、
前記プッシャおよび前記制御ワイヤは、前記閉塞用インプラントを前記カテーテル内から露出させるように、前進させられるように構成されており、
前記制御ワイヤおよび前記プッシャのうちの少なくとも一方を他方に対して移動させることによって、前記インプラントの前記近位ハブと前記遠位ハブとが寄せ集められるように構成されており、それによって、前記閉塞用インプラントが拡張し、
前記制御ワイヤが前記インプラントの前記遠位ハブから解放されるまで、前記制御ワイヤが前記プッシャに対して近位に移動させられるように構成されており、
前記制御ワイヤは、前記インプラントの前記近位ハブを解放するように、前記プッシャに対して近位に移動させられるように構成されており、
前記カテーテル、プッシャ、および制御ワイヤは、前記患者の身体から引き抜かれるように構成されている、
システム。
【請求項２４】
前記プッシャは、前記制御ワイヤに対して遠位に移動させられるように構成されており、それによって、前記インプラントの前記近位ハブと前記遠位ハブとを寄せ集める、請求項２３に記載のシステム。
【請求項２５】
前記制御ワイヤは、前記プッシャに対して近位に移動させられるように構成されており、それによって、前記インプラントの前記近位ハブと前記遠位ハブとを寄せ集める、請求項２３に記載のシステム。
【請求項２６】
前記制御ワイヤは、前記プッシャに対して近位に移動させられる、そして前記プッシャは、前記制御ワイヤに対して遠位に移動させられるように構成されており、それによって、前記インプラントの前記近位ハブと前記遠位ハブとを寄せ集める、請求項２３に記載のシステム。
【請求項２７】
前記制御ワイヤは、前記遠位ハブ内の要素を通して前記制御ワイヤの前記遠位端を引っ張ることによって、前記制御ワイヤが前記インプラントの前記遠位ハブから解放されるまで前記プッシャに対して近位に移動させられるように構成されており、前記遠位ハブ内の前記要素は、前記制御ワイヤの遠位端の幅より相対的に小さい幅を有する、請求項２３に記載のシステム。
【請求項２８】
前記要素は、前記遠位ハブの管腔側壁、連続リング、Ｃ形状リング、リングであって、前記リングの中心に向かって突出する複数のタブを有するリング、および１つ以上のバーのうちの１つである、請求項２７に記載のシステム。
【請求項２９】
前記制御ワイヤの前記遠位端は、ボールに接合されている、請求項２７に記載のシステム。
【請求項３０】
前記制御ワイヤの遠位端は、前記制御ワイヤの近位方向に閾値力を適用し、前記制御ワイヤの前記遠位端および前記要素のうちの１つの変形を生じさせることによって、前記遠位ハブ内の前記要素を通して引っ張られるように構成されている、請求項２７に記載のシステム。
【請求項３１】
前記制御ワイヤは、前記インプラントの前記近位ハブ内のチャンバ内に格納されている係止要素を越えて前記制御ワイヤの前記遠位端を引っ張ることによって、前記プッシャに対して近位に移動させられて、前記インプラントの前記近位ハブを解放するように構成されており、前記係止要素は、ワイヤの第１の端部上にあり、前記ワイヤの第２の端部は、前記プッシャに固定されている、請求項２３に記載のシステム。
【請求項３２】
前記制御ワイヤは、前記インプラントの前記近位ハブ内のチャンバ内に格納された係止要素を越えて前記制御ワイヤの遠位終端および係止ワイヤの遠位終端を引っ張ることによって、前記プッシャに対して近位に移動させられて、前記インプラントの前記近位ハブを解放するように構成されており、前記係止要素は、ワイヤの第１の端部上にあり、前記ワイヤの第２の端部は、前記プッシャに固定されている、請求項２３に記載のシステム。
【請求項３３】
可撓性の係合要素の近位終端が、前記プッシャの側壁内に固定され、前記可撓性の係合要素の遠位部分は、前記インプラントの前記近位ハブ内の側窓を通過し、前記制御ワイヤと連結している、請求項２３に記載のシステム。
【請求項３４】
前記制御ワイヤは、前記係合要素を越えて、前記制御ワイヤの前記遠位端を近位に引っ張り、前記係合要素を前記制御ワイヤから分断し、前記近位ハブが、前記プッシャから解放されることを可能にすることによって、前記プッシャに対して近位に移動させられて、前記インプラントの前記近位ハブを解放するように構成されている、請求項３３に記載のシステム。
【請求項３５】
前記係合要素は、ループと連結された脚部を有するワイヤであり、前記ワイヤは、前記脚部が、前記ワイヤの近位終端から前記ループまで、実質的に縦方向に延びるように事前に設定され、前記ループは、前記プッシャの縦軸に対して実質的に横断する配向にある、請求項３４に記載のシステム。
【請求項３６】
第１の可撓性の係合要素の近位部分が、第１の場所において前記プッシャの側壁内に固定され、前記第１の可撓性の係合要素の遠位部分は、前記インプラントの前記近位ハブ内の第１の側窓を通過し、前記制御ワイヤと連結し、
第２の可撓性の係合要素の近位部分が、前記第１の場所と反対の第２の場所において、前記プッシャの側壁内に固定され、前記第２の可撓性の係合要素の遠位部分は、前記インプラントの前記近位ハブ内の第２の側窓を通過し、前記制御ワイヤと連結している、請求項２３に記載のシステム。
【請求項３７】
前記閉塞用インプラントは、１つ以上の金属コイル部材を備えている、請求項２３に記載のシステム。
【請求項３８】
前記閉塞用インプラントは、１つ以上のポリマーコイル部材を備えている、請求項２３に記載のシステム。
【請求項３９】
インプラント送達システムであって、
インプラントと、
前記インプラントを押圧可能な遠位端を有する、内側管腔を有するプッシャと、
前記プッシャの前記内側管腔内にスライド可能に受け取られ、前記インプラント内に延びている制御ワイヤであって、前記プッシャの前記内側管腔は、前記制御ワイヤのみスライド可能に受け取るように適合されている、制御ワイヤと、
前記プッシャに固定されている少なくとも１つのフィラメントと
を備え、
前記フィラメントは、前記プッシャから遠位に延び、前記制御ワイヤおよび前記インプラントの一部を越えて通過するループを形成し、それによって、前記制御ワイヤが前記インプラント内から後退させられるまで、前記インプラントを固定させる、
インプラント送達システム。
【請求項４０】
前記インプラントは、近位端および遠位端を有するステントであり、前記ステントは、前記近位端に複数のクラウンを有し、第１のクラウンは、前記少なくとも１つのフィラメントを受け取るための開放小穴を有し、第２のクラウンは、放射線不透過性マーカーを有する、請求項３９に記載のインプラント送達システム。
【請求項４１】
前記開放小穴を有する前記第１のクラウンは、前記放射線不透過性マーカーを有する前記第２のクラウンの幅より相対的に大きい幅を有する、請求項３９に記載のインプラント送達システム。
【請求項４２】
前記少なくとも１つのフィラメントは、第１のフィラメントおよび第２のフィラメントであり、前記インプラントは、近位端および遠位端を有する４つのクラウンステントであり、前記近位端において、前記ステントは、
それを通して前記第１のフィラメントが受け取られ得る開放小穴を有する第１のクラウンと、
放射線不透過性マーカーをその上に有する第２のクラウンであって、前記第２のクラウンは、前記ステントの第１の側で前記第１のクラウンと第３のクラウンとの間にあり、前記第３のクラウンは、それを通して前記第２のフィラメントが受け取られることが可能な開放小穴を有する、第２のクラウンと、
放射線不透過性マーカーをその上に有する第４のクラウンであって、前記ステントの第２の側で前記第１のクラウンと前記第３のクラウンとの間にある、第４のクラウンと
を備えている、請求項３９に記載のインプラント送達システム。
【請求項４３】
前記インプラントは、ハイポチューブの形態における近位ハブを備え、前記ループは、前記近位ハブを遠位に通り過ぎている、請求項３９に記載のインプラント送達システム。
【請求項４４】
前記インプラントは、ステント、ステントリーバー（Ｓｔｅｎｔｒｉｅｖｅｒ）、および１つ以上のコイルを受け取るように適合されるケージのうちの１つである、請求項４３に記載のインプラント送達システム。
【請求項４５】
前記少なくとも１つのフィラメントは、前記プッシャに対して全体としてスライド可能でないように、前記プッシャに固定されている、請求項３９に記載のインプラント送達システム。
【請求項４６】
前記少なくとも１つのフィラメントは、前記制御ワイヤが前記ループと係合されている場合、それを通して前記制御ワイヤが延びている前記プッシャの遠位開口部を通って延びていない、請求項３９に記載のインプラント送達システム。
【請求項４７】
前記少なくとも１つのフィラメントは、前記インプラントの開放遠位終端内に延びていない、請求項３９に記載のインプラント送達システム。
【請求項４８】
前記制御ワイヤは、前記インプラントを通して織り交ぜられることなく、直接、前記インプラント内に延びている、請求項３９に記載のインプラント送達システム。
【請求項４９】
前記インプラントは、１つ以上の金属コイル部材を有するコイルベースの閉塞デバイスである、請求項３９に記載のインプラント送達システム。
【請求項５０】
前記インプラントは、１つ以上のポリマーコイル部材を有するコイルベースのインプラントである、請求項３９に記載のインプラント送達システム。
【手続補正２】
【補正対象書類名】明細書
【補正対象項目名】００１４
【補正方法】変更
【補正の内容】
【００１４】
本発明は、例えば、以下を提供する：
（項目１）
生物学的管腔を閉塞するためのシステムであって、
互に向かって移動可能である、近位ハブおよび遠位ハブを有する閉塞用インプラントと、
内側管腔を有する細長いプッシャと、
前記プッシャの前記内側管腔内にスライド可能に受け取られている制御ワイヤと
を備え、
前記制御ワイヤの遠位端は、前記インプラントの前記遠位ハブが、前記制御ワイヤとともに移動可能であり、前記制御ワイヤから解放可能であるように、前記インプラントの前記遠位ハブに解放可能に連結され、
前記インプラントの前記近位ハブは、前記制御ワイヤの近位後退が、前記近位ハブを前記プッシャから解放するように、前記プッシャに解放可能に連結されている、システム。
（項目２）
前記閉塞用インプラントは、複数のコイル部材を備え、前記複数のコイル部材の各々は、前記遠位ハブと連結される遠位端と、前記近位ハブと連結される近位端とを有する、項目１に記載のシステム。
（項目３）
前記制御ワイヤは、縦軸を有し、前記制御ワイヤの前記遠位端は、前記制御ワイヤのシャフトの幅より大きい幅を有し、前記インプラントの前記遠位ハブは、閾値力の適用まで、前記遠位ハブに対する前記制御ワイヤの前記遠位端の近位運動を妨害するように適合されている、項目１に記載のシステム。
（項目４）
前記制御ワイヤの前記遠位端は、ストッパ要素である、項目３に記載のシステム。
（項目５）
前記インプラントの前記遠位ハブは、前記ストッパ要素の幅より小さい幅を有するアクセスチャネルを備え、前記アクセスチャネルおよび前記ストッパ要素のうちの１つは、前記閾値力の適用に応じて変形可能である、項目４に記載のシステム。
（項目６）
前記インプラントの前記遠位ハブは、前記ストッパ要素の幅より小さい幅を有する開口部を有するリング状要素を備え、前記リング状要素は、前記閾値力の適用に応じて変形可能である、項目４に記載のシステム。
（項目７）
前記リング状要素は、Ｃ形状である、項目６に記載のシステム。
（項目８）
前記インプラントの前記遠位ハブは、リング状要素を備え、前記リング状要素は、前記リング状要素の中心開口部内に延びている複数のタブを有し、前記複数のタブは、前記閾値力の適用に応じて変形可能である、項目４に記載のシステム。
（項目９）
前記インプラントの前記遠位ハブは、前記閾値力の適用に応じて屈曲可能である１つ以上のバーを備えている、項目４に記載のシステム。
（項目１０）
前記遠位ハブは、非外傷性ドームと、放射線不透過性挿入体によって覆われている側壁開口部とを有する、項目４に記載のシステム。
（項目１１）
係止要素に連結されている第１の端部と、前記プッシャに連結されている第２の端部とを有する連結ワイヤをさらに備え、前記インプラントの前記近位ハブは、前記係止要素を格納するためのチャンバを有する内側管腔を含む、項目１に記載のシステム。
（項目１２）
前記係止要素は、前記チャンバに隣接する前記制御ワイヤの存在によって、前記チャンバ内に保持され、前記係止要素は、前記近位ハブからの前記制御ワイヤの除去に応じて、前記近位ハブから解放可能である、項目１１に記載のシステム。
（項目１３）
前記プッシャの前記内側管腔内にスライド可能に受け取られている細長い係止ワイヤをさらに備え、前記係止要素は、前記チャンバに隣接する前記制御ワイヤおよび前記係止ワイヤの存在によって、前記チャンバ内に保持され、前記係止要素は、前記近位ハブからの前記制御ワイヤおよび前記係止ワイヤの除去に応じて、前記近位ハブから解放可能である、項目１１に記載のシステム。
（項目１４）
前記インプラントの前記近位ハブは、それを通して前記制御ワイヤがスライドすることができる管腔を有する近位端と、前記インプラント近位端の遠位に位置している側窓とを備え、前記システムは、
近位部分および遠位部分を有する可撓性の係合要素をさらに備え、前記近位部分は、前記係合要素が前記プッシャに対して全体的にスライド可能でないように、前記プッシャに固定され、前記遠位部分は、前記側窓を通過し、前記制御ワイヤと係合し、前記プッシャに対する前記近位ハブの連結を維持するように適合されている、項目１に記載のシステム。
（項目１５）
前記係合要素は、前記近位ハブからの前記制御ワイヤの後退に応じて、前記制御ワイヤおよび前記近位ハブから解放可能である、項目１４に記載のシステム。
（項目１６）
前記係合要素は、前記プッシャの側壁内に固定された近位終端を有するワイヤまたはねじ山の連続区画であり、前記係合要素が、前記制御ワイヤに連結されている場合、前記係合要素のいかなる部分も、それを通して前記制御ワイヤが延びている前記プッシャの開放遠位端を通って延びていない、項目１５に記載のシステム。
（項目１７）
前記プッシャは、その長さに沿って縦軸を有し、前記係合要素は、ループ状部分と連結されている脚部を備え、前記係合要素は、前記少なくとも１つの脚部が前記近位終端から前記ループ状部分まで実質的に縦方向に延びるように事前に設定され、前記ループ状部分は、前記縦軸に対して実質的に横断する配向である、項目１６に記載のシステム。
（項目１８）
前記近位ハブは、傾斜表面を備え、前記傾斜表面は、実質的縦方向配向への前記ループ状部分のたわみを支援する、項目１５に記載のシステム。
（項目１９）
前記側窓は、第１の側窓であり、前記係合要素は、第１の係合要素であり、前記近位ハブは、前記近位ハブの近位端の遠位に位置している第２の側窓をさらに備え、
前記システムは、前記プッシャに固定された近位部分と遠位部分とを有する第２の可撓性の係合要素をさらに備え、前記遠位部分は、前記第２の側窓を通過し、前記制御ワイヤに連結し、前記プッシャに対する前記近位ハブの連結を維持するように適合されている、項目１４に記載のシステム。
（項目２０）
前記閉塞用インプラントは、１つ以上のコイル部材を備えている、項目１に記載のシステム。
（項目２１）
前記１つ以上のコイル部材は、金属製である、項目２０に記載のシステム。
（項目２２）
前記１つ以上のコイル部材は、ポリマー製である、項目２０に記載のシステム。
（項目２３）
遠位ハブおよび近位ハブを有する閉塞用インプラントを備えている閉塞装置を用いて、患者の身体内の生物学的管腔を閉塞する方法であって、前記遠位ハブは、制御ワイヤと解放可能に連結され、前記近位ハブは、プッシャと解放可能に連結され、前記制御ワイヤは、前記プッシャ内にスライド可能に受け取られ、前記プッシャは、カテーテル内にスライド可能に受け取られ、前記方法は、
前記カテーテルの遠位端を処置部位に前進させることと、
前記プッシャおよび前記制御ワイヤを前進させ、前記閉塞用インプラントを前記カテーテル内から露出させることと、
前記制御ワイヤおよび前記プッシャのうちの少なくとも一方を他方に対して移動させることによって、前記インプラントの前記近位ハブと前記遠位ハブとを寄せ集め、それによって、前記閉塞用インプラントが拡張する、ことと、
前記制御ワイヤが前記インプラントの前記遠位ハブから解放されるまで、前記制御ワイヤを前記プッシャに対して近位に移動させることと、
前記制御ワイヤを前記プッシャに対して近位に移動させ、前記インプラントの前記近位ハブを解放することと、
前記カテーテル、プッシャ、および制御ワイヤを前記患者の身体から引き抜くことと
を含む、方法。
（項目２４）
前記プッシャを前記制御ワイヤに対して遠位に移動させることによって、前記インプラントの前記近位ハブと前記遠位ハブとを寄せ集めることをさらに含む、項目２３に記載の方法。
（項目２５）
前記制御ワイヤを前記プッシャに対して近位に移動させることによって、前記インプラントの前記近位ハブと前記遠位ハブとを寄せ集めることをさらに含む、項目２３に記載の方法。
（項目２６）
前記制御ワイヤを前記プッシャに対して近位に移動させることによって、および前記プッシャを前記制御ワイヤに対して遠位に移動させることによって、前記インプラントの前記近位ハブと前記遠位ハブとを寄せ集めることをさらに含む、項目２３に記載の方法。
（項目２７）
前記制御ワイヤが前記インプラントの前記遠位ハブから解放されるまで、前記制御ワイヤを前記プッシャに対して近位に移動させることは、前記遠位ハブ内の要素を通して、前記制御ワイヤの前記遠位端を引っ張ることであって、前記遠位ハブ内の前記要素は、前記制御ワイヤの遠位端の幅より相対的に小さい幅を有する、ことを含む、項目２３に記載の方法。
（項目２８）
前記要素は、前記遠位ハブの管腔側壁、連続リング、Ｃ形状リング、リングであって、前記リングの中心に向かって突出する複数のタブを有するリング、および１つ以上のバーのうちの１つである、項目２７に記載の方法。
（項目２９）
前記制御ワイヤの前記遠位端は、ボールに接合されている、項目２７に記載の方法。
（項目３０）
前記遠位ハブ内の前記要素を通して、前記制御ワイヤの遠位端を引っ張ることは、前記制御ワイヤの近位方向に閾値力を適用し、前記制御ワイヤの前記遠位端および前記要素のうちの１つの変形を生じさせることを含む、項目２７に記載の方法。
（項目３１）
前記制御ワイヤを前記プッシャに対して近位に移動させ、前記インプラントの前記近位ハブを解放することは、前記インプラントの前記近位ハブ内のチャンバ内に格納されている係止要素を越えて、前記制御ワイヤの前記遠位端を引っ張ることを含み、前記係止要素は、ワイヤの第１の端部上にあり、前記ワイヤの第２の端部は、前記プッシャに固定されている、項目２３に記載の方法。
（項目３２）
前記制御ワイヤを前記プッシャに対して近位に移動させ、前記インプラントの前記近位ハブを解放することは、前記インプラントの前記近位ハブ内のチャンバ内に格納された係止要素を越えて、前記制御ワイヤの遠位終端および係止ワイヤの遠位終端を引っ張ることを含み、前記係止要素は、ワイヤの第１の端部上にあり、前記ワイヤの第２の端部は、前記プッシャに固定されている、項目２３に記載の方法。
（項目３３）
可撓性の係合要素の近位終端が、前記プッシャの側壁内に固定され、前記可撓性の係合要素の遠位部分は、前記インプラントの前記近位ハブ内の側窓を通過し、前記制御ワイヤと連結している、項目２３に記載の方法。
（項目３４）
前記制御ワイヤを前記プッシャに対して近位に移動させ、前記インプラントの前記近位ハブを解放することは、前記係合要素を越えて、前記制御ワイヤの前記遠位端を近位に引っ張り、前記係合要素を前記制御ワイヤから分断し、前記近位ハブが、前記プッシャから解放されることを可能にすることを含む、項目３３に記載の方法。
（項目３５）
前記係合要素は、ループと連結された脚部を有するワイヤであり、前記ワイヤは、前記脚部が、前記ワイヤの近位終端から前記ループまで、実質的に縦方向に延びるように事前に設定され、前記ループは、前記プッシャの縦軸に対して実質的に横断する配向にある、項目３４に記載の方法。
（項目３６）
第１の可撓性の係合要素の近位部分が、第１の場所において前記プッシャの側壁内に固定され、前記第１の可撓性の係合要素の遠位部分は、前記インプラントの前記近位ハブ内の第１の側窓を通過し、前記制御ワイヤと連結し、
第２の可撓性の係合要素の近位部分が、前記第１の場所と反対の第２の場所において、前記プッシャの側壁内に固定され、前記第２の可撓性の係合要素の遠位部分は、前記インプラントの前記近位ハブ内の第２の側窓を通過し、前記制御ワイヤと連結している、項目２３に記載の方法。
（項目３７）
前記閉塞用インプラントは、１つ以上の金属コイル部材を備えている、項目２３に記載の方法。
（項目３８）
前記閉塞用インプラントは、１つ以上のポリマーコイル部材を備えている、項目２３に記載の方法。
（項目３９）
インプラント送達システムであって、
インプラントと、
前記インプラントを押圧可能な遠位端を有する、内側管腔を有するプッシャと、
前記プッシャの前記内側管腔内にスライド可能に受け取られ、前記インプラント内に延びている制御ワイヤであって、前記プッシャの前記内側管腔は、前記制御ワイヤのみスライド可能に受け取るように適合されている、制御ワイヤと、
前記プッシャに固定されている少なくとも１つのフィラメントと
を備え、
前記フィラメントは、前記プッシャから遠位に延び、前記制御ワイヤおよび前記インプラントの一部を越えて通過するループを形成し、それによって、前記制御ワイヤが前記インプラント内から後退させられるまで、前記インプラントを固定させる、
インプラント送達システム。
（項目４０）
前記インプラントは、近位端および遠位端を有するステントであり、前記ステントは、前記近位端に複数のクラウンを有し、第１のクラウンは、前記少なくとも１つのフィラメントを受け取るための開放小穴を有し、第２のクラウンは、放射線不透過性マーカーを有する、項目３９に記載のインプラント送達システム。
（項目４１）
前記開放小穴を有する前記第１のクラウンは、前記放射線不透過性マーカーを有する前記第２のクラウンの幅より相対的に大きい幅を有する、項目３９に記載のインプラント送達システム。
（項目４２）
前記少なくとも１つのフィラメントは、第１のフィラメントおよび第２のフィラメントであり、前記インプラントは、近位端および遠位端を有する４つのクラウンステントであり、前記近位端において、前記ステントは、
それを通して前記第１のフィラメントが受け取られ得る開放小穴を有する第１のクラウンと、
放射線不透過性マーカーをその上に有する第２のクラウンであって、前記第２のクラウンは、前記ステントの第１の側で前記第１のクラウンと第３のクラウンとの間にあり、前記第３のクラウンは、それを通して前記第２のフィラメントが受け取られることが可能な開放小穴を有する、第２のクラウンと、
放射線不透過性マーカーをその上に有する第４のクラウンであって、前記ステントの第２の側で前記第１のクラウンと前記第３のクラウンとの間にある、第４のクラウンと
を備えている、項目３９に記載のインプラント送達システム。
（項目４３）
前記インプラントは、ハイポチューブの形態における近位ハブを備え、前記ループは、前記近位ハブを遠位に通り過ぎている、項目３９に記載のインプラント送達システム。
（項目４４）
前記インプラントは、ステント、ステントリーバー（Ｓｔｅｎｔｒｉｅｖｅｒ）、および１つ以上のコイルを受け取るように適合されるケージのうちの１つである、項目４３に記載のインプラント送達システム。
（項目４５）
前記少なくとも１つのフィラメントは、前記プッシャに対して全体としてスライド可能でないように、前記プッシャに固定されている、項目３９に記載のインプラント送達システム。
（項目４６）
前記少なくとも１つのフィラメントは、前記制御ワイヤが前記ループと係合されている場合、それを通して前記制御ワイヤが延びている前記プッシャの遠位開口部を通って延びていない、項目３９に記載のインプラント送達システム。
（項目４７）
前記少なくとも１つのフィラメントは、前記インプラントの開放遠位終端内に延びていない、項目３９に記載のインプラント送達システム。
（項目４８）
前記制御ワイヤは、前記インプラントを通して織り交ぜられることなく、直接、前記インプラント内に延びている、項目３９に記載のインプラント送達システム。
（項目４９）
前記インプラントは、１つ以上の金属コイル部材を有するコイルベースの閉塞デバイスである、項目３９に記載のインプラント送達システム。
（項目５０）
前記インプラントは、１つ以上のポリマーコイル部材を有するコイルベースのインプラントである、項目３９に記載のインプラント送達システム。
一実施形態では、血管または管腔閉塞デバイスの遠位および近位制御のための送達装置が、開示される。血管閉塞デバイスの例示的用途として、周辺血管系の閉塞、脳動脈瘤の閉塞、および親脈管から脳動脈瘤への閉塞が挙げられるが、それらに限定されない。送達装置によって制御される例示的閉塞デバイスは、複数のコイル部材を含み、各部材は、近位端および遠位端を画定する。閉塞デバイスはまた、複数のコイル部材の近位端に連結される、近位保持特徴と、複数のコイル部材の遠位端に連結される、遠位保持特徴とを含む。近位および遠位保持特徴の各々は、小塊（例えば、コイル材料、接着剤等によって形成される均質区画）であり得る。送達装置は、近位保持特徴を遠位方向または近位および遠位方向の両方に移動させるために構成される、プッシャと、遠位保持特徴に解放可能に連結される、遠位制御ワイヤとを含み得る。遠位制御ワイヤは、遠位保持特徴を近位および遠位方向の両方に移動させるために構成され得る。